Podtech/llm-jp-corpus-v4-ja_patent huggingface dataset:
(57)【要約】      （修正有）【課題】頭部全体をマッサージすることができる頭皮刺激指圧器を提供する。【解決手段】グリップ部と、グリップ部の一端に連結され、拡散状の先端を備えたプラスチック部と、グリップ部の一端から、プラスチック部の先端より遠方となるように拡散状に配置すると共に、その先端に安全ゴムを備えた針金とからなる。【選択図】図３
0003182030.tif 000002
【実用新案登録請求の範囲】
【請求項１】
頭部、頭皮の内・外側から皮膚や神経を刺激、指圧する事が出来るようにした合理的頭皮刺激指圧器に関する請求。
【考案の詳細な説明】
【技術分野】
【０００１】  本考案は、頭部、頭皮の内・外側から皮膚や神経を刺激、指圧する事が出来るようにしたものである。
【背景技術】
【０００２】  従来の頭皮マッサージ器は針金の大小がタコ足状に拡散した、広範囲の頭皮に刺激させる物と、プラスチック製の狭範囲の頭皮ツボ刺激、指圧する物の別々の物しか無かった。
【考案の概要】
【考案が解決しようとする課題】
【０００３】  解決しようとする問題点は、針金拡散型の頭皮マッサージ器は、伸びた針金の大小がタコ足状に拡散し、広範囲の頭皮を擦り、刺激させる物に、ツボ押し等の指圧作用の仕組みが無い事と、プラスチック製の頭皮マッサージ器は、狭範囲の頭皮ツボ刺激、指圧するだけで、広範囲の頭皮を擦り、刺激させる仕組みが無く、別々の物しか無かった。
本考案は、この課題を解決する為になされたものである。
【課題を解決するための手段】
【０００４】  本考案は、グリップ部１の先から出ている拡散状の針金２の中心部に、プラスチック製の拡散状の先端３があり、中心円に刺激毛４が付いたものを、ネジ５で装着する事にした。
また、ケガの無い様に、針金２の先端の安全ゴム６を付けている。
【考案の効果】
【０００５】  本考案の合理的頭皮刺激指圧器は、グリップ部１を押す事により、グリップ部１の先から出ている、安全ゴム６付きの拡散状の針金２と、プラスチック製の拡散状の先端３があり、中心円に刺激毛４が付いたものが広がりながら、頭部、頭皮の狭・広範囲の全体に刺激、指圧させる事が可能になった。
【図面の簡単な説明】
【０００６】
【図１】図１は合理的頭皮刺激指圧器の正面を示した正面図である。
【図２】図２は合理的頭皮刺激指圧器の先端を示した底面図である。
【図３】図３は合理的頭皮刺激指圧器の側面を示した側面図である。
【図４】図４は合理的頭皮刺激指圧器の断面を示した断面図である。
【図５】図５は合理的頭皮刺激指圧器の使用状態を示す斜視図である。
【考案を実施するための形態】
【０００７】  グリップ部の先から出ている拡散状の針金の中心部に、プラスチック製の拡散状の先端があり、中心円に刺激毛が付いたものをネジで装着し、ケガの無い様に、針金２の先端の安全ゴム６を付け、合理的な頭皮刺激指圧を実現した。
【実施例１】
【０００８】  図１は、本考案の正面図、図２は実施する為の要の部分を示す底面図であり、図２は側面図、図４はその構造を示す断面図である。また、図５は実施例を示す斜視図である。
【符号の説明】
【０００９】１    グリップ部
２    拡散状の針金
３    プラスチック製の拡散状の先端
４    刺激毛
５    ネジ
６    安全ゴム
【図１】
0003182030.tif 000003
【図２】
0003182030.tif 000004
【図３】
0003182030.tif 000005
【図４】
0003182030.tif 000006
【図５】
0003182030.tif 000007
【手続補正書】
【提出日】平成24年11月16日(2012.11.16)
【手続補正１】
【補正対象書類名】実用新案登録請求の範囲
【補正対象項目名】全文
【補正方法】変更
【補正の内容】
【実用新案登録請求の範囲】
【請求項１】
グリップ部と、前記グリップ部の一端に連結され、拡散状の先端を備えたプラスチック部と、前記グリップ部の一端から、前記プラスチック部の先端より遠方となるように拡散状に配置すると共に、その先端に安全ゴムを備えた針金と、それらからなる事を特徴とする頭皮刺激指圧器。
(57)【要約】      （修正有）【課題】杖を使用している人の存在を他人に認識させることができ、また車や移動体に、反射ではなく自分の位置を杖の発光により認識させることができ、さらに発光のための電池等やスイッチを無くした杖の石突を提供する。【解決手段】蓄光材含有の材料で製作した石突１を市販の杖に装着する。蓄光能力のある材料を使用しているため、光の有る所に放置するだけで暗闇の中で発光し自分の位置を発光により認識させる効果がある。電池交換やスイッチ操作がなくなる。【選択図】図２
0003182046.tif 000002
【実用新案登録請求の範囲】
【請求項１】
杖の先に付いている石突を、蓄光材含有の材料で製作する。
【考案の詳細な説明】
【考案の詳細な説明】
【０００１】蓄光材含有の材料で石突を製作する。
【背景技術】
【０００２】杖自体に反射テープを貼る。反射の塗装をする。杖に電球などを取り付け電池等で光らす。
【考案の概要】
【考案が解決しようとする課題】
【０００３】車や移動体に、反射ではなく自分の位置を杖の発光により認識させ、自分の安全を確保することを課題とする。電池等で光らす杖は電池交換やスイッチの操作に手間がかかる。従来の杖の石突部分だけ取り替えられることを課題とする。
【課題を解決するための手段】
【０００４】杖の石突を蓄光材含有材料で製作する。
【考案の効果】
【０００５】蓄光能力のある材料を使用しているため、光の有る所に放置するだけで暗闇の中で発光し自分の位置を発光により認識させる効果がある。電池交換やスイッチ操作がなくなる。従来の杖の石突部分だけ取り替えられることで経済的な効果がある。
【図面の簡単な説明】
【０００６】
【図１】蓄光石突  と市販の杖を表した図面である。（図１の１番）は蓄光材含有の材料で製作した蓄光石突  （図１の２番）は市販の杖
【図２】市販の杖（図１の１番）に（図１の２番）蓄光石突を装着した図面である。
【図１】
0003182046.tif 000003
【図２】
0003182046.tif 000004
(57)【要約】      （修正有）【課題】河川で増水、減水した時でも発電する事が出来る発電機を提供する。【解決手段】発電機に浮袋を取り付け、その外側に回転羽根付きリングを取り付け、発電機全体が上下に動く構造とする。これにより、水位に応じた発電機の位置を維持することができる。また、浮袋は金属製、ゴム製、プラスチック製などを用いるがプラスチック製が安価である。【選択図】図１
0003182045.tif 000002
【実用新案登録請求の範囲】
【請求項１】
発電機に浮袋を設け、その外側に回転羽根付きリングを設置した発電機。
【考案の詳細な説明】
【考案の概要】
【考案が解決しようとする課題】
【０００１】  水上において発電機、回転羽根一体型発電機である。【０００２】  発電機に浮袋を取り付け、その外側に回転羽根付きリングを取り付ける。
【考案の効果】
【０００３】  河川で増水、減水した時でも発電する事が出来る。
【考案が実施するための形態】
【０００４】  以下、本案の実施例について説明する、図１にもとずいて発電機に浮袋を取り付け、その外側に回転羽根付きリングを取り付け、発電機全体が上下に動く事により最良の水力を得る。
【０００５】  本考案の浮袋は金属製、ゴム製、プラスチック製などを用いるがプラスチック製が安価で好ましい。
【図面の簡単な説明】
【０００６】
【図１】  発電機の側面図
【図２】  発電機の正面図
【符号の説明】
【０００７】  １  発電機      ２  浮袋      ３  上下滑り台座
４  回転羽根付きリング      ５  電線
【図１】
0003182045.tif 000003
【図２】
0003182045.tif 000004
(57)【要約】      （修正有）【課題】押潰し容器に流入する空気を防止する事で内容物の変質や、押潰し作業に伴う内容物の飛散、及び容器内への内容物の残存を解決する空気流入防止弁を提供する。【解決手段】押潰し容器を押潰した際に生じる内圧によって開状態となり、押潰し容器の素材が固有する復元作用で生じる負圧によって閉状態となる逆止弁を、ゴムを素材として形成する中空半球体の頂点を中心に放射状の細隙２を設ける事で構成すると共に、押潰し容器の吐出口３へ中空半球体の開口部を拡張状態で装着する事により細隙２が密着する効果を発生させている。【選択図】図１
0003182050.tif 000002
【実用新案登録請求の範囲】
【請求項１】
ゴムを素材として形成する中空半球体の頂点を中心に放射状の細隙を設けると共に、押潰し容器の吐出口へ中空半球体の開口部を拡張状態で装着する事を特徴とする空気流入防止弁。
【考案の詳細な説明】
【技術分野】
【０００１】  本考案は押潰し容器の吐出口へ装着して、内容物の吐出を可能としながら、空気の流入を防止するための逆止弁に関するものである。
【背景技術】
【０００２】  押潰し容器の素材が固有する復元作用により，開放状態にある吐出口より容器内へ空気が流入していた。
【考案の概要】
【考案が解決しようとする課題】
【０００３】  押潰し容器内へ流入した空気は内容物を変質させるだけでなく、圧縮されて吐出する際に内容物を飛散させる原因となる場合があり、更に容器を膨張させて円滑な押潰し作業を阻害する結果として容器内に残存したまま廃棄される内容物を増加させる。本考案は押潰し容器への空気の流入を防止する事により前述の欠点を解決しようとするものである。
【課題を解決するための手段】
【０００４】  本考案は容器を押潰した際に生じる内圧によって開状態となり、容器の素材が固有する復元作用で生じる負圧によって閉状態となる逆止弁を、ゴムを素材として形成する中空半球体の頂点を中心に放射状の細隙を設ける事で構成すると共に、押潰し容器の吐出口へ中空半球体の開口部を拡張状態で装着する事により、細隙が密着する効果を発生させて問題を解決している。
【考案の効果】
【０００５】  押潰し容器への空気の流入を防止する事により内容物の変質や、吐出に際しての内容物の飛散、及び容器内に残存して廃棄される内容物の無駄を解決する事ができる。
【図面の簡単な説明】
【０００６】
【図１】押潰し容器の吐出口へ装着された本考案の空気流入防止弁の断面図である。
【考案を実施するための形態】
【０００７】  内容物の粘度や、弁を構成する素材ゴムの硬度、及び中空半球体の肉厚等を適宜に勘案し、中空半球体の頂点を中心とする放射状の細隙によって中空半球体を２から８等分に分割する。また中空半球体内面の開口部近傍に設ける輪状の凹凸と、押潰し容器外面の吐出口近傍に設ける輪状の凹凸とを噛み合わせる事により、押潰し作業で生じる内圧による弁の脱落を防止する。
【実施例】
【０００８】  添付図面に従って一実施例を説明すると、ゴムを素材として形成する弁本体１には中空半球体の頂点を中心とする放射状の細隙２が設けられていると共に、弁本体１は押潰し容器の吐出口３へ中空半球体の開口部が拡張状態となって装着される事により、細隙２が密着する効果を発生する。【０００９】  中空半球体内面の開口部近傍に設けられた輪状の凹凸５は、押潰し容器外面の吐出口近傍に設けられた輪状の凹凸４と噛み合う事により、押潰し作業で生じる内圧による弁本体１の脱落を防止する。
【符号の説明】
【００１０】  １  弁本体
２  細隙
３  押潰し容器の吐出口
４  押潰し容器の吐出口近傍の凹凸
５  弁本体の開口部近傍の凹凸
【図１】
0003182050.tif 000003
(57)【要約】      （修正有）【課題】滑らかな平面に粘着し、使用後に粘着された表面に粘着剤が残らず、フックの接着面が汚れると、清水できれいに洗い流すことができて、きれいな布で拭いて乾かした後に、繰り返して使用できるトレースレスフックを提供する。【解決手段】一面にフックが設置され、他面にＰＥＴフィルム層を介してペースト層が複合され、前記ペースト層に離型フィルムを貼り付けてトレースレスフックを形成する。前記フックは、ＵＶグルーを介して前記ＰＥＴ層に粘着されている。さらに、前記グルー層は、ＳＥＢＳ層であり、前記グルー層は、前記ＰＥＴフィルム層の表面にスプレーされている。また、前記ＰＥＴ層の一面にパターン層が設置され、前記パターン層がグルーを介して前記ＰＥＴフィルム層に粘着される。【選択図】図１
0003182078.tif 000002
【実用新案登録請求の範囲】
【請求項１】
一面にフックが設置され、他面にＰＥＴフィルム層を介してペースト層が複合され、前記ペースト層に離型フィルムが貼り付けられるＰＥＴ層を含むことを特徴とするトレースレスフック。
【請求項２】
前記フックは、ＵＶグルーを介して前記ＰＥＴ層に粘着されていることを特徴とする請求項１に記載のトレースレスフック。
【請求項３】
前記グルー層がＳＥＢＳ層であり、前記グルー層が前記ＰＥＴフィルム層の表面にスプレーされることを特徴とする請求項１に記載のトレースレスフック。
【請求項４】
前記ＰＥＴ層の一面にパターン層が設置され、前記パターン層がグルーを介して前記ＰＥＴフィルム層に粘着されることを特徴とする請求項１に記載のトレースレスフック。
【考案の詳細な説明】
【技術分野】
【０００１】
本考案は、トレースレスフックに関する。
【背景技術】
【０００２】
現在のフックは、壁掛けフック、吸盤フック、ビスコースフックがある。壁掛けフックは、使用中に壁面を破壊し、吸盤フックは、使用中に温度と水蒸気の影響を受けて脱落し、ビスコースフックは、使用後に取り外される時にゴムが残ることがある。
【考案の概要】
【課題を解決するための手段】
【０００３】
上記の技術的問題を解決するために、本考案は、防水でき、使用方法が簡単であり、使用後に残らず、且つ繰り返して使用できるトレースレスフックを提供することを目的とする。
本考案の完全な技術的スキームは、一面にフックが設置され、他面にＰＥＴフィルム層を介してペースト層が複合され、前記ペースト層に離型フィルムが貼り付けられるＰＥＴ層を、含むトレースレスフックである。
好ましくは、前記フックは、ＵＶグルーを介して前記ＰＥＴ層に粘着されている。
好ましくは、前記グルー層は、ＳＥＢＳ層であり、前記グルー層は、前記ＰＥＴフィルム層の表面にスプレーされている。
好ましくは、前記ＰＥＴ層の一面にパターン層が設置され、前記パターン層がグルーを介して前記ＰＥＴフィルム層に粘着される。
以上から分かるように、本考案は、現在の技術に比べると、以下のような有益な効果を持つ。
【考案の効果】
【０００４】
本考案に係るトレースレスフックは、防水でき、使用方法が簡単であり、使用される時にＳＥＢＳ層の離型フィルムを引き裂いて、ＳＥＢＳ層を壁に粘着し、押出しにより、その中の空気を排出させて、大気の圧力と摩擦力により、フックを滑らかな平面に粘着し、使用後に粘着された表面に粘着剤が残らず、フックの接着面が汚れると、清水できれいに洗い流すことができて、きれいな布で拭いて乾かした後に、繰り返して使用できる。
【図面の簡単な説明】
【０００５】
【図１】本考案の構成を示す図である。
【考案を実施するための形態】
【０００６】
ここで説明されている添付図面は、本考案に対する更なる理解を提供するために使用され、本願の一部を構成するが、本考案に対する不適切な限定を構成するものではない。
以下、図面及び具体的な実施例を参照して本考案を詳細に説明し、ここで本考案の例示的な実施例及び記述は、本考案を説明することに用いられるが、本考案を限定するものではない。
実施例１：
（技術的に省略される）
以上から分かるように、本考案に係るトレースレスフックは、防水でき、
インストール及び使用が簡単であり、粘着された表面を損傷しなく、粘着剤の残りがなく、繰り返して使用できる。防水し、且つ耐久性が良く、使用される時にＳＥＢＳ層の離型フィルムを引き裂いて、ＳＥＢＳ層を壁に粘着し、押出しにより、その中の空気を排出させて、大気の圧力と摩擦力により、フックを滑らかな平面に粘着し、使用後で粘着された表面に粘着剤が残らず、フックの粘着面が汚れると、清水できれいに洗い流すことができて、きれいな布で拭いて乾かした後に、繰り返し使用できる。
以上は、本考案の実施例において提供された技術的スキームを詳細に説明し、本文では具体的な例を応用して本考案の原理及び実施形態を説明し、以上の実施形態の説明が本考案の実施例の原理を理解することを助けるためだけに適用し、同時に、本分野の一般的な技術者に対して、本考案の実施例に基づいて、具体的な実施形態及び応用範囲をいずれも変更されることがあり、上述したように、本説明書の内容が本考案を限定するものと理解されるべきではない。
【図１】
0003182078.tif 000003
(57)【要約】【課題】フロントファスナーを首元まで引き上げても、違和感のない上衣のファスナー構造を開発・提供する事にある。【解決手段】立襟を有する上衣において、上衣本体（１）の立襟（２）の前合わせ部の左右付近を、該立襟の高さ寸法（α）より  低い寸法（β）の立襟（２′）に形成し、前身頃（３）の前合わせ部の両側に、それぞれ左身頃と右身頃とを開閉自在に接続するファスナー（４）を設け、該ファスナー（４）に、スライダー（５）を設けたことを特徴とする立襟を有する上衣における立襟とフロントファスナーとの構造。【選択図】  図１
0003182624.tif 000002
【実用新案登録請求の範囲】
【請求項１】
立襟を有する上衣において、
上衣本体（１）の立襟（２）の前合わせ部の左右付近に、該立襟の高さ寸法（α）より  低い高さ寸法（β）の立襟（２′）に形成し、
前身頃（３）の前合わせ部の両側に、それぞれ左身頃と右身頃とを開閉自在に接続するファスナー（４）を設け、
該ファスナー（４）に、スライダー（５）を設けたことを特徴とする
立襟付き上衣における立襟とフロントファスナーとの構造。
【請求項２】
上衣本体（１）の低い立襟（２′）の上端部（Ｘ）付近には、前立て（７）の上端を下方に折り返した折り返し部（８）を設け、該折り返し部でファスナー（４）の上端を被覆することを特徴とする請求項１記載の立襟付き上衣における立襟とフロントファスナーとの構造。
【請求項３】
低い立襟（２′）の上端部（Ｘ）が、湾曲状に形成されていることを特徴とする請求項１または２記載の立襟付き上衣における立襟とフロントファスナーとの構造。
【考案の詳細な説明】
【技術分野】
【０００１】
この考案は、立襟付き上衣における立襟とフロントファスナーとの構造に関するものである。
【背景技術】
【０００２】
従来、立襟（たてえり）〔Stand collar〕は、洋服の上着に用いられる襟の仕立て方の一つであり、元来は制服（軍服や学生服）に用いられており、『折襟』や『詰襟』と総称されており、前合わせを、ホックやボタンで留めたりして着用されている。
【０００３】
そして、ホックやボタンに代わり、動作が簡単なファスナーが設けられるようになり、ホックやボタンを一々掛ける煩雑さを解消するため、上衣の前合わせと、立襟の前合わせとを一体化し、一本のフロントファスナーを、上衣の前身頃から立襟へ用い、前身頃とそれに続く立襟とを一気に開閉するよう構成されており、このような上衣にフロントファスナーを設けたものは存在している。例えば、特許文献１のように。
【先行技術文献】
【特許文献】
【０００４】
【特許文献１】登録第３１３１７０３号実用新案公報
【０００５】
しかしながら、上衣の前身頃の左右を閉じる際には、フロントファスナーを上衣の中央下端部より立襟の上端まで一気に引き上げると、立襟に位置するファスナーが首にあたって着心地の悪いものであった。
【考案の開示】
【考案が解決しようとする課題】
【０００６】
そこで、この考案は、上記課題を解決する為に考案されたものであり、フロントファスナーを首元まで引き上げても、違和感のない立襟付き上衣における立襟とフロントファスナーとの構造を開発・提供する事にある。
【課題を解決するための手段】
【０００７】
課題を解決するための手段として、本考案は、立襟付き上衣本体において、立襟のうち、立襟の前合わせ部分の立襟を他部に比べて低く形成し、その部分にフロントファスナーの上端が位置するように構成したものである。
【考案の効果】
【０００８】
この考案によると、フロントファスナーを首元まで引き上げても、立襟の前合わせ部分を低く形成しているため、この低い部分の立襟の位置で止まるため、ファスナー部分が首に触ることがなく、従って違和感がないという極めて有益なる効果を奏する。
【０００９】
また、仮に、フロントファスナーが金属製の場合には、厳寒期等においても金属の部分が、首筋に触ることがなく、冷たくない等の極めて有益なる効果を奏する。
【図面の簡単な説明】
【００１０】
【図１】この考案の一実施例を示す一部欠截正面図である。
【図２】この考案の一実施例を示す背面図である。
【図３】この考案の一実施例を示す要部拡大一部欠截正面図である。
【図４】図１中ａ部の詳細断面図である。
【考案を実施するための形態】
【００１１】
以下、この考案について詳細に説明する。尚、この考案においては、以下の記述に限定されるものではなく、この考案の要旨を逸脱しない範囲においては適宜変更可能である。
【実施例】
【００１２】
そこで、この考案の一実施例を図面に基づいて詳述すると、立襟を有する上衣において、上衣本体（１）の立襟（２）の前合わせ部の左右付近を、該立襟の高さ寸法（α）より  低い寸法（β）の立襟（２′）に形成し、前身頃（３）の前合わせ部の両側に、それぞれ左身頃と右身頃とを接続するファスナー（４）を設け、該ファスナー（４）に、スライダー（５）を設けたことを特徴とする立襟付き上衣における立襟とフロントファスナーとの構造から構成されるものである。
【００１３】
尚、この考案の一実施例では、立襟（２）は、前合わせ部付近の部分の低い立襟（２′）を別の素材を用い、立襟（２）と縫着する構造となっているが、立襟（２）と一体的に設け、同じ素材で構成してもよいものである。
【００１４】
また、立襟のうち、前合わせ付近の低い立襟（２′）の上端部（Ｘ）を、湾曲状に形成することにより、首筋と立襟との間隔を適度に保つことができ、違和感がない。
【００１５】
さらに、上衣本体（１）の前合わせ部には、ファスナー（４）が前面から見えないようパイピングを施して、ファスナー（４）を隠した構造となっているが、別にファスナー（４）が前面から見えるよう覆い布を施していない構造のものであってもよい。
【００１６】
そして、図１，図４に示すように、上衣本体（１）の低い立襟（２′）の上端部（Ｘ）付近には、前立て（７）の上端を下方に折り返した折り返し部（８）を設け、該折り返し部でファスナー（４）の上端を被覆することによりファスナー（４）が、直接、首に触らないよう構成してもよい。
【００１７】
また、スライダー（５）には、スライダー引手（６）を設け、スライダー（５）の上げ・下げを容易にできるよう構成してもよい。
【産業上の利用可能性】
【００１８】
この考案の立襟付き上衣における立襟とフロントファスナーとの構造の技術を確立し、これを製造・販売することにより産業上の利用可能性を有する。
【符号の説明】
【００１９】
１  上衣本体
２  立襟
２′立襟
３  前身頃
４  ファスナー
５  スライダー
６  スライダー引手
７  前立て
８  折り返し部
Ｘ  低い立襟の上端部
α  立襟の高さ寸法
β  低い立襟の高さ寸法
【図１】
0003182624.tif 000003
【図２】
0003182624.tif 000004
【図３】
0003182624.tif 000005
【図４】
0003182624.tif 000006
(57)【要約】      （修正有）【課題】電子装置を複数の角度で載置することができる支持台を提供する。【解決手段】支持台２００は、本体部２０１及び凹陥部２０２を備える。本実施形態において、本体部２０１は、水平方向に沿う断面が三角柱状であり、且つ頂面２０１１及び底面２０１２を備える。電子装置を使用する際、該支持台２００の底面２０１２は、机或いは自動車内の積載面などに載置される。また、変形例として、上記の本体部２０１は、円柱、四角柱、五角柱或いは台形などの他の形状の柱体に成形してもよい。凹陥部２０２は頂面２０１１上に設けられている。本実施形態において、該凹陥部２０２は、三角錐を呈する。該三角錐の凹陥部２０２の三つの縁は互いに対してほぼ垂直である。【選択図】図１
0003182676.tif 000002
【実用新案登録請求の範囲】
【請求項１】
本体部を備える支持台であって、前記本体部は頂面及び底面を有し、前記頂面には、三角錐状の凹陥部が設けられていることを特徴とする支持台。
【請求項２】
前記本体部は、柱体であることを特徴とする請求項１に記載の支持台。
【請求項３】
前記本体部は、三角柱、円柱、四角柱、五角柱或いは台形の柱体であることを特徴とする請求項２に記載の支持台。
【請求項４】
前記三角錐の凹陥部の三つの縁は、互いに対して垂直であることを特徴とする請求項１に記載の支持台。
【考案の詳細な説明】
【技術分野】
【０００１】
本考案は、電子装置に用いられる支持台に関するものである。
【背景技術】
【０００２】
従来の電子装置、例えばイオン空気清浄器、小型のスピーカーボックス、マルチメディアプレーヤーなどは、通常支持台上に載置されて、机、その他平らな場所に設置して使用される。現在、常用の支持台の本体部には収容凹溝が設けられており、電子装置を支持台上に載置する際には、電子装置の全体を前記本体部の収容凹溝にセットする。しかし、このような支持台では、特定の角度でしか電子装置を載置することができない。
【考案の概要】
【考案が解決しようとする課題】
【０００３】
そこで、本考案は上記の問題点を考慮した上で、電子装置を複数の角度で載置することができる支持台を提供することを目的とする。
【課題を解決するための手段】
【０００４】
上記の課題を解決するために、本考案に係る支持台は本体部を備え、前記本体部は頂面及び底面を有し、前記頂面には三角錐状の凹陥部が設けられている。
【考案の効果】
【０００５】
従来の技術とは異なり、本考案の支持台は、複数の使用状態を備え、電子装置を上面に平らに載置する或いは電子装置の１つの頂角を凹陥部内に挿嵌することによって載置することができる。これにより、一つの支持台によって、複数の角度で電子装置を載置することができる。
【図面の簡単な説明】
【０００６】
【図１】本考案の実施形態に係る支持台の構造を示す図である。
【図２】図１に示した支持台の電子装置が載置された時の第一使用状態を示す図である。
【図３】図１に示した支持台の電子装置が載置された時の第二使用状態を示す図である。
【考案を実施するための形態】
【０００７】
図１に示すように、本考案の実施形態に係る支持台２００は、本体部２０１及び凹陥部２０２を備える。本実施形態において、本体部２０１は、水平方向に沿う断面が三角柱状であり、且つ頂面２０１１及び底面２０１２を備える。電子装置を使用する際、該支持台２００の底面２０１２は、机或いは自動車内の積載面などに載置される。また、変形例として、上記の本体部２０１は、円柱、四角柱、五角柱或いは台形などの他の形状の柱体に成形してもよい。凹陥部２０２は頂面２０１１上に設けられている。本実施形態において、該凹陥部２０２は、三角錐を呈する。該三角錐の凹陥部２０２の三つの縁は互いに対してほぼ垂直である。
【０００８】
図２に示すように、本考案の支持台２００の第一使用状態において、支持台２００の上面に載置された電子装置１００は立方体であり、スピーカーボックス、イオン空気清浄器或いはマルチメディアプレーヤーであることができる。この第一使用状態において、支持台２００の底面２０１２は、机或いは自動車内の積載面に載置され、この時、電子装置１００は、支持台２００の頂面２０１１に平置きされている。つまり、支持台２００は、電子装置１００を頂面２０１１と平行に載置している。
【０００９】
図３に示すように、本考案の支持台２００の第二使用状態において、支持台２００の頂面を含む上部に載置された電子装置１００は立方体であり、この時、支持台２００の底面２０１２は、机或いは自動車内の積載面に載置されている。第二使用状態にある支持台２００は、上述した第一使用状態にある支持台２００の形状及び構造と同じである。第二使用状態において、電子装置１００の１つの頂角部は、支持台２００の凹陥部２０２内に収納されており、この時、電子装置１００の前記頂角部は、支持台２００の前記三角錐の凹陥部２０２と互いに組み合わさる。これにより、電子装置１００は支持台２００上に安定して載置される。
【００１０】
また、本考案の支持台２００は、直方体の電子装置を載置することもできる。
【００１１】
上記の実施形態からわかるように、本考案に係る支持台２００は、２つの使用状態を備え、電子装置１００を上面に平らに載置する或いは電子装置１００の１つの頂角部を凹陥部２０２内に挿嵌することによって載置することができる。これにより、一つの支持台によって、複数の角度で電子装置を載置することができる。
【００１２】
以上、本考案の実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、いうまでもない。
【符号の説明】
【００１３】
１００        電子装置
２００        支持台
２０１        本体部
２０２        凹陥部
２０１１      頂面
２０１２      底面
【図１】
0003182676.tif 000003
【図２】
0003182676.tif 000004
【図３】
0003182676.tif 000005
(57)【要約】【課題】簡単な構造で安全に使用でき、また、蓋は自動的に開閉可能で、且つロック機能付きの魔法瓶の蓋体ロック構造を提供する。【解決手段】本体部（１）と、本体部（１）の上部に設けている蓋体（２）を備え、本体部（１）と蓋体（２）の間にロック構造を設けたものである。ロック構造は、係止爪（３）を有するロック部材（４）を備え、ロック部材（４）の中間部においてヒンジ軸（５）により繋がっている。ロック部材（４）の一方にばね（６）を設け、もう一方は自由端である。この自由端には、係止部材としての係止爪（３）が設けられ、蓋体（２）は同じ係止部材の被係止溝（７）を設ける。これにより、簡単な構造で、安全に使用でき、魔法瓶の蓋を簡単に開けるとロックすることができる。【選択図】図1
0003182604.tif 000002
【実用新案登録請求の範囲】
【請求項１】
本体部（１）と該本体部（１）の上部に設けている蓋体（２）を備え、前記本体部（１）と前記蓋体（２）の間にロック構造が設けられ、該ロック構造は係止爪（３）を有するロック部材（４）を備え、該ロック部材（４）の中間部はヒンジ軸（５）により前記本体部（１）と繋がり、前記ロック部材（４）の一方にばね（６）が設けられ、もう一方は自由端であり、かつ係止部材としての前記係止爪（３）が設けられ、前記蓋体（２）は同じ係止部材の被係止溝（７）を設けることを特徴とする蓋体ロック構造。
【請求項２】
前記本体部（１）は、前記蓋体（２）と枢着されることを特徴とする請求項１に記載の蓋体ロック構造。
【考案の詳細な説明】
【技術分野】
【０００１】
本考案は、家庭用魔法瓶に関し、より詳しくは、魔法瓶のロック構造に関するものである。
【背景技術】
【０００２】
従来の魔法瓶或いはカップの蓋の開け方法は、主に螺旋式の開け方法を採用している。周知のように、魔法瓶或いはカップに高温の液体を入れており、圧力のある状態で、螺旋式の開け方法で高温の液体は溢れだされてしまい、ユーザに火傷の危険性を齎す可能性がある。
しかし、蓋を自動的に開ける方法で、突然にはね出した構造と、蓋を自動的に閉めることのできない設計理念、ユーザの需要に満たせない。
【先行技術文献】
【特許文献】
【０００３】
【特許文献１】特開２００７−１２６１８６号公報
【考案の概要】
【考案が解決しようとする課題】
【０００４】
本考案は、簡単な構造で安全に使用でき、また、蓋は自動的に開閉可能で、且つロック機能付きの魔法瓶の蓋体ロック構造を提供することを目的とする。
【課題を解決するための手段】
【０００５】
上記課題を解決するために、本考案の蓋体ロック構造は、本体部と該本体部の上部に設けている蓋体を備え、前記本体部と前記蓋体の間にロック構造が設けられ、該ロック構造は係止爪を有するロック部材を備え、該ロック部材の中間部はヒンジ軸により前記本体部と繋がり、前記ロック部材の一方にばねが設けられ、もう一方は自由端であり、かつ係止部材としての前記係止爪が設けられ、前記蓋体は同じ係止部材の被係止溝を設ける。
上記本考案の蓋体ロック構造をさらに改良すると、前記本体部は、前記蓋体と枢着されることがより好ましい。
【考案の効果】
【０００６】
本考案に係る魔法瓶の蓋体ロック構造によれば、簡単な構造で、安全に使用でき、魔法瓶の蓋を簡単に開けるとロックすることができる。
【図面の簡単な説明】
【０００７】
【図１】本考案に係る魔法瓶のロック構造を示す図である。
【考案を実施するための最良の形態】
【０００８】
以下、本考案の実施形態について、図面を参照しながら詳細に説明していく。
【実施例１】
【０００９】
実施例１の魔法瓶の蓋体ロック構造は、図１の示すように、本体部１と、本体部の上部に設けている蓋体２を備え、本体部１と蓋体２の間にロック構造を設けたものである。ロック構造は、係止爪３を有するロック部材４を備え、ロック部材４の中間部においてヒンジ軸５により繋がっている。ロック部材４の一方にばね６を設け、もう一方は自由端である。この自由端には、係止部材としての係止爪３が設けられ、蓋体２は同じ係止部材の被係止溝７を設ける。
そして、本体部１は、蓋体２と枢着される。
【００１０】
以上、本考案を実施するための最良の形態を詳細に説明した。
なお、本考案の技術的範囲は、以上の実施例に限定されるものではなく、本考案の技術的範囲は記述した請求項の内容によって限定される。
【産業上の利用可能性】
【００１１】
本考案に係る魔法瓶の蓋体ロック構造は、魔法瓶に有用である。
【符号の説明】
【００１２】
１  本体部
２  蓋体
３  係止爪
４  ロック部材
５  ヒンジ軸
６  ばね
７  被係止溝
【図１】
0003182604.tif 000003
(57)【要約】【課題】ロック機能を持ち、ユーザは魔法瓶蓋を開閉する時間を短縮し、密封性を向上でき、構造が簡単な魔法瓶用蓋体を提供する。【解決手段】上蓋（１）と下蓋（２）を備え、上蓋（１）と下蓋（２）は枢着部（６）により連結している。枢着部（６）にはねじりばね（９）が設けられている。下蓋（２）には飲み口（８）が設けられている。飲み口（８）の外壁側に被係止部（７）があり、上蓋１には変形部（５）と係止部（４）が設けられている。変形部（５）は上蓋（１）の枢着部（６）側に設けられ、被係止部（７）と係止部（４）は相互に対向する位置にある。【選択図】図２
0003182607.tif 000002
【実用新案登録請求の範囲】
【請求項１】
上蓋（１）と下蓋（２）を備え、
上蓋（１）と下蓋（２）は枢着部（６）により連結しており、
枢着部（６）には、ねじりばね（９）が設けられ、
下蓋（２）に飲み口（８）が設けられ、
飲み口（８）の外壁側に被係止部（７）があり、上蓋（１）には変形部（５）と係止部（４）が設けられており、
変形部（５）は上蓋（１）の枢着部（６）側に設けられ、
被係止部（７）と係止部（４）は対向する位置にある、
ことを特徴とする魔法瓶用蓋体。
【請求項２】
前記変形部（５）は凹球面状であることを特徴とする請求項１に記載の魔法瓶用蓋体。
【請求項３】
上蓋（１）に飲み口（８）と相応する密封栓（３）が設けられていることを特徴とする請求項１又は２に記載の魔法瓶用蓋体。
【考案の詳細な説明】
【技術分野】
【０００１】
本考案は、蓋体に関する技術であり、特にロック機能を持つ魔法瓶用蓋体に関するものである。
【背景技術】
【０００２】
現在、多くの魔法瓶の蓋体の開閉は主にぐるぐる回る回転式を採用している。それはとても時間がかかってしまう。特に喉が非常に渇いている人間にとって、すぐでも水分を求めたい時に、蓋を開けるのにぐるぐる回転しなければならないといったように、非常に不便さを感じるという問題がある。
【先行技術文献】
【特許文献】
【０００３】
【特許文献１】特開２００７−１２６１８６号公報
【考案の概要】
【考案が解決しようとする課題】
【０００４】
上記状況に鑑みて、本考案は、ロック機能を持ち、ユーザは魔法瓶蓋を開閉する時間を短縮し、密封性を向上でき、構造が簡単な魔法瓶用蓋体を提供することを目的とする。
【課題を解決するための手段】
【０００５】
上記課題を解決するために、本考案の魔法瓶用蓋体は、下記１）〜５）の要件を備える。
１）上蓋（１）と下蓋（２）を備える。
２）上蓋（１）と下蓋（２）は枢着部（６）により連結している。
３）枢着部（６）にはねじりばね（９）を設けられている。
４）下蓋（２）に飲み口（８）を備え、飲み口（８）の外壁側に被係止部（７）が設けられ、上蓋（１）に変形部（５）と係止部（４）が設けられている。
５）変形部（５）は上蓋（１）の枢着部（６）側に設けられ、被係止部（７）と係止部（４）の位置は相互に対向している。
【０００６】
上記の本考案の魔法瓶用蓋体において、変形部は凹球面状であることが好ましい。
【０００７】
また、上記の本考案の魔法瓶用蓋体において、上蓋に飲み口と対応する密封栓が設けることが好ましい。
【考案の効果】
【０００８】
本考案に係る魔法瓶用蓋体によれば、ロック機能を持ち、ユーザは魔法瓶蓋を開閉する時間を短縮し、密封性を向上でき、構造が簡単で、低コストで、広く普及することができる。
【図面の簡単な説明】
【０００９】
【図１】本考案に係る魔法瓶用蓋体を閉めた状態の構造を示す平面図である。
【図２】本考案に係る魔法瓶用蓋体を開けた状態の構造を示す平面図である。
【考案を実施するための最良の形態】
【００１０】
以下、本考案の実施形態について、図面を参照しながら詳細に説明していく。なお、本考案の技術的保護範囲は、以下の実施例に限定されるものではない。
【実施例１】
【００１１】
以下、図１〜２を参照しながら、実施例１に係る魔法瓶用蓋体の説明を行う。
実施例１に係る魔法瓶用蓋体は、上蓋１と下蓋２を備え、上蓋１と下蓋２は枢着部６により連結している。枢着部６には、ねじりばね９が設けられている。下蓋２には、飲み口８を設けてあり、飲み口８の外壁側には被係止部７がある。また、上蓋１には変形部５と係止部４を設けている。変形部５は上蓋１の枢着部側に設けられ、被係止部７と係止部４の位置は相互に対向している。
【００１２】
ユーザが水分を取りたい時に、親指で変形部５を押して、前の方向にスライドさせる。これにより、上蓋１にある係止部４と下蓋２にある被係止部7が分離して、上蓋１はねじりばね９の作用で回転して開けられる。
ユーザは水分を取ることが可能になる。ユーザが飲水を終えた後、上蓋１を枢着部６に沿って回転させることで、上蓋１を元の位置に戻せる。そして、上蓋１に後ろ方向へ力を入れ、被係止部７と係止部４が係止し合い、ロック機能を実現できる。
【００１３】
また、変形部５は凹球面状である。また、上蓋１に飲み口８と相応する密封栓３が設けている。
【００１４】
本考案に係る魔法瓶用蓋体はロック機能を持ち、ユーザは魔法瓶蓋を開閉する時間を短縮し、携帯に便利で、密封性を向上し、構造が簡単で、低コストで、広く普及させるには好適である。
【００１５】
以上の内容は、本考案に係る基本な原理及び主な特徴、また本考案の優れた点を記述している。上記実施例及び本明細書において本考案に係る原理しか述べておらず、また本考案の技術的範囲は上記実施例に限定されるものではない。本考案の技術的範囲を離れないことを前提として、本考案は他の変形と改良をすることがあり、上記変形と改良はすべて本考案の保護範囲に入ると考える。本考案の技術的範囲は記述した請求項の内容に限定されるものである。
【産業上の利用可能性】
【００１６】
本考案は、魔法瓶に有用である。
【符号の説明】
【００１７】
１  上蓋
２  下蓋
３  密閉栓
４  係止部
５  変形部
６  枢着部
７  被係止部
８  飲み口
９  ねじりばね
【図１】
0003182607.tif 000003
【図２】
0003182607.tif 000004
(57)【要約】      （修正有）【課題】管部材の一端に雄ねじを形成し、他端に雌ねじを形成して連接できるようにした掘削用鋼管において、ねじを加工しない管本体の部分を薄肉にして軽量化できるようにした掘削用鋼管の構造を提供する。【解決手段】雄ねじ３ａのある管端部３をそれ以外の管本体２とは別体に構成し、その管端部３を管本体２に摩擦圧接で接合一体化する。これによって、雄ねじ３ａの部分は必要な厚さの部材を使用し、管本体２は必要な強度さえ維持できれば任意の厚さの部材を使用できる。よって、掘削用鋼管１の大部分を占める管本体２を薄肉にすることで、軽量化を図ることができる。【選択図】図１
0003182663.tif 000002
【実用新案登録請求の範囲】
【請求項１】
管部材の一端に雄ねじを形成し、他端に雌ねじを形成して連接できるようにした掘削用鋼管において、前記雄ねじのある管端部がそれ以外の管本体とは別体に構成され、その管端部が管本体に摩擦圧接で接合一体化され、しかも管本体が管端部より薄肉に形成されていることを特徴とする、掘削用鋼管の構造。
【請求項２】
管部材の一端に雄ねじを形成し、他端に雌ねじを形成して連接できるようにした掘削用鋼管において、前記雄ねじと雌ねじのある管端部がそれ以外の管本体とは別体に構成され、その各管端部が管本体に摩擦圧接で接合一体化され、しかも管本体が雄ねじの管端部より薄肉に形成されていることを特徴とする、掘削用鋼管の構造。
【考案の詳細な説明】
【技術分野】
【０００１】
本考案は、トンネル工事の補助工法や杭の構築等に用いられる掘削用鋼管の構造に関する。
【背景技術】
【０００２】
従来の掘削用鋼管は、１本の管部材の一端に雄ねじを形成し、他端に雌ねじを形成して連接できるようにした構造となっている（例えば特許文献１参照）。しかし、管部材はねじの加工のためにある程度の厚さが必要であるから、ねじを加工しない管本体は余分な厚さとなり、重量増となっていた。
【先行技術文献】
【特許文献】
【０００３】
【特許文献１】実開平６−８０９８１号公報
【考案の概要】
【考案が解決しようとする課題】
【０００４】
本考案が解決しようとする第１の課題は、ねじを形成しない管本体の部分を薄肉にして軽量化できるようにすることにある。第２の課題は、内外面の凹凸でねじの加工が困難な鋼管にねじを形成できるようにすることにある。
【課題を解決するための手段】
【０００５】
かかる課題を解決した本考案の構成は、
１）  管部材の一端に雄ねじを形成し、他端に雌ねじを形成して連接できるようにした掘削用鋼管において、前記雄ねじのある管端部がそれ以外の管本体とは別体に構成され、その管端部が管本体に摩擦圧接で接合一体化され、しかも管本体が管端部より薄肉に形成されていることを特徴とする、掘削用鋼管の構造
２）  管部材の一端に雄ねじを形成し、他端に雌ねじを形成して連接できるようにした掘削用鋼管において、前記雄ねじと雌ねじのある管端部がそれ以外の管本体とは別体に構成され、その各管端部が管本体に摩擦圧接で接合一体化され、しかも管本体が雄ねじの管端部より薄肉に形成されていることを特徴とする、掘削用鋼管の構造
にある。
【考案の効果】
【０００６】
本考案の前記１）及び２）記載の構成によれば、ねじの部分が管本体と別体であるから、ねじの部分は必要な厚さの部材を使用し、管本体は必要な強度さえ維持できれば任意の厚さの部材を使用できる。よって、掘削用鋼管の大部分を占める管本体を薄肉にすることで、軽量化を図ることができるようになる。
【図面の簡単な説明】
【０００７】
【図１】実施例１の掘削用鋼管の半断面図である。
【図２】実施例２の掘削用鋼管の半断面図である。
【考案を実施するための形態】
【０００８】
以下、本考案を実施するための形態を各実施例と図面に基づいて具体的に説明する。
【実施例】
【０００９】
（実施例１）
図１に示す実施例１は直管の掘削用鋼管の例である。図中、１は掘削用鋼管、２は管本体、３は管端部、３ａは雄ねじ、４は雌ねじ、５は圧接部である。管本体２の厚さは４．２ｍｍで、左側の内面に雌ねじ４を形成している。
【００１０】
管端部３の厚さは６．１ｍｍで、外面に雄ねじ３ａを形成している。この管端部３を管本体２の右端に摩擦圧接で接合一体化している。
【００１１】
このように、実施例１によれば、雄ねじ３ａの部分が管本体２と別体であるから、管端部３は必要な厚さの部材を使用し、管本体２は必要な強度さえ維持できれば任意の厚さの部材を使用できる。よって、掘削用鋼管１の大部分を占める管本体２を薄肉にすることで、軽量化を図ることができる。
【００１２】
（実施例２）
図２に示す実施例２は、雄ねじ及び雌ねじのある管端部の両方ともに、別体で製作されたものを管本体に摩擦圧接で接合一体化され、しかも管本体は雄ねじの管端部より薄肉にされた例である。
【００１３】
図中、１０は実施例２の掘削用鋼管、２は同掘削用鋼管の厚み４．２ｍｍの管本体、３は外側に雄ねじ３ａを有する厚さ６．１ｍｍの管端部、６は内側に雌ねじ６ａを有する厚み４．２ｍｍの管端部、５，７は管端部３，６を管本体２の端面に摩擦圧接で接合した圧接部である。
【００１４】
この実施例２では、短い管端部３，７を別にねじ切りして製作し、肉薄の長尺の管本体２に摩擦圧接で接合した例であり、管端部３，７が短く別に製作されるので、製作が容易であり、又管端部３，７のみを製作すればよいので、製造コスト及び製造時間も短縮できる。長尺の一体製作のものに比べ、雄ねじ３ａの管端部３の為に、管本体２の肉厚を厚いものにする必要がなく、肉薄の管本体２のものが使用でき、全体として軽量化ができ、又コストも低減できる。
【産業上の利用可能性】
【００１５】
本考案の技術は、トンネル工事の補助工法や杭の構築等に用いられる掘削用鋼管に利用される。
【符号の説明】
【００１６】
１，１０    掘削用鋼管
２    管本体
３，６    管端部
３ａ    雄ねじ
６ａ    雌ねじ
５，７    圧接部
【図１】
0003182663.tif 000003
【図２】
0003182663.tif 000004
(57)【要約】      （修正有）【課題】傘釘の如く約４０ｍｍ以下の釘を抜く際に、下地にあまり傷をつけないですばやく釘の頭をひっかけて軽く抜くことが出来る改装用バールを提供する。【解決手段】直線状に延びる柄１とこの柄の一端に設けられて釘抜き用の溝２を有する頭とを備えた改装用バールにおいて、上記柄の長さを２５〜３５センチとし、柄の他端を薄い板状５に形成し、この薄い板状の部分には釘抜き用第２の溝６を形成するとともに、この薄い板状の部分は、上記柄に対して緩やかに湾曲した改装用バール。【選択図】図１
0003182322.tif 000002
【実用新案登録請求の範囲】
【請求項１】
直線状に延びる柄とこの柄の一端に設けられて釘抜き用の溝を有する頭とを備えた改装用バールにおいて、上記柄の長さを２５〜３５センチとし、柄の他端を薄い板状に形成し、この薄い板状の部分には釘抜き用第２の溝を形成するとともに、この薄い板状の部分は、上記柄に対して緩やかに湾曲した改装用バール。
【請求項２】
上記、柄の他端で薄い板状の部分との変曲点部分には磁石を固定した請求項１に記載の改装用バール。
【考案の詳細な説明】
【技術分野】
【０００１】
本考案は、波板用傘釘、壁板釘平トタン釘、ヨドプリント釘、内装バンヤ等の釘抜きに使用するバールである。
【背景技術】
【０００２】
従来から、釘抜用バールには、大小いろいろとあるが、小釘専用のバールはなかった。カジヤバールも約４０ｍｍと短い釘を抜くのにはバールの先が大きすぎて、木にたたき込まないと釘頭にかからない。このために、木に大きな傷をつけるという欠点があった。他方、ポンチバールがあるが、釘を抜くには柄が短すぎて力がかかり使いにくいという欠点があった。
先に、本考案者が、軽い力で釘抜きが可能な釘抜きバールを提案したが（引用文献１）、釘の長さが短い場合には十分ではなかった。
【先行技術文献】
【特許文献】
【０００３】
【特許文献１】実用新案登録第３１６９３６０号公報
【考案の概要】
【考案が解決しようとする課題】
【０００４】
従来から家屋の改装に使用される、カジヤバールやポンチバールは、約４０ｍｍ以下の短い釘を抜くには木に傷をつけることや、十分な力がかからないなどの理由で改装用には不向きであるという課題があった。
本考案は、このような従来のカジヤバールやポンチバールの欠点を改良した、改装用バールを提供することである。
【課題を解決するための手段】
【０００５】
本考案は、直線状に延びる柄とこの柄の一端に設けられて釘抜き用の溝を有する頭とを備えた改装用バールにおいて、上記柄の長さを２５〜３５センチとし、柄の他端を薄い板状に形成し、この薄い板状の部分には釘抜き用第２の溝を形成するとともに、この薄い板状の部分は、上記柄に対して緩やかに湾曲した改装用バールである。
より好ましくは、上記柄の他端で薄い板状の部分との変曲点部分には磁石を固定した改装用バールである。
【考案の効果】
【０００６】
本考案によれば、傘釘とか約４０ｍｍ以下の釘を抜く際に、下地にあまり傷をつけないですばやく釘の頭をひっかけて軽く抜くことが出来る。
【図面の簡単な説明】
【０００７】
【図１】図１は、本考案のバールの平面図である。
【図２】図２は、本考案のバール図１を９０度回転させた平面図である。
【図３】図３は、本考案のバールの第１の溝の側面図である。
【図４】図４は、本考案のバールの第２の溝の側面図である。
【考案を実施するための形態】
【０００８】
本考案について、図面を用いて説明する。
図１において、１が柄である。２が、釘を抜き取る第１の溝である。溝部は幅３〜５ｍｍ、長さは１５〜２０ｍｍとすることが好ましい。
３は、槌でたたく所で、少しふくらみをつける。４は、抜いて落ちた釘を集めるための磁石であり、バール柄と先端との変曲点につけてある。５は、他端で薄い板状部分であり、この板状部にＶ字型の第２の溝が形成される。
【産業上の利用可能性】
【０００９】
本考案のバールは、約４０ｍｍより短い釘を抜く際に、木に傷をつけることなく容易に抜くことが可能となり、汎用性が高い。また、バールに接続した磁石により抜いて落ちた釘を集めることが可能となり、作業性が向上する。
【符号の説明】
【００１０】
１  柄
２  釘を抜取る溝（第１の溝）
３  槌でたたく所
４  磁石
５  他端で薄い板状部分
６  釘を抜取る溝（第２の溝）
【図１】
0003182322.tif 000003
【図２】
0003182322.tif 000004
【図３】
0003182322.tif 000005
【図４】
0003182322.tif 000006